(57)【要約】【課題】均一の温湿度を得ることができるサウナ装置を提供することを目的とする。【解決手段】空気を加熱する加熱手段１２により加熱された空気を送風する加熱送風手段３６と、加湿手段１１と、加湿手段１１により加湿された加湿空気を送風する加湿送風手段２５と、吸込口２２および吹出口２３を備え、加熱送風手段３６からの加熱空気と、加湿送風手段２５からの加湿空気を吹出口２３の手前で合流し吹出口２３より加熱加湿空気を吹き出すことにより、均一の温湿度を得ることができるサウナ装置が得られる。【選択図】図１
2006212246.tif 000002
【特許請求の範囲】
【請求項１】
空気を加熱する加熱手段と、この加熱手段により加熱された空気を送風する加熱空気送風手段と、空気を加湿する加湿手段と、この加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたサウナ装置。
【請求項２】
加湿手段は、水または温水を供給する給水手段と、前記給水手段から給水された水または温水を噴射する噴射手段と、前記噴射手段により噴射された水または温水を衝撃させて破砕する水破砕手段と前記水破砕手段により供給された水滴群を大粒の水滴と微細な水滴に分離し、大粒の水滴を回収する気液分離手段とにより構成した請求項１記載のサウナ装置。
【請求項３】
加熱空気送風手段に加熱送風量を可変する加湿送風可変手段を設け、加熱空気送風手段に、加湿送風量を可変する加湿送風可変手段を設けたことを特徴とする請求項１記載のサウナ装置。
【請求項４】
水破砕手段に水と衝突する複数の衝突板を有し回転する衝撃ファンを備えた請求項２記載のサウナ装置。
【請求項５】
吹出口以外の開口を吸込空気流路と連通する吸込口とした請求項１記載のサウナ装置。
【発明の詳細な説明】
【技術分野】
【０００１】
本発明は、浴室内を高温高湿なサウナ空間にするサウナ装置に関する。
【背景技術】
【０００２】
従来、この種のサウナ装置の一例として浴室の天井に設置し浴室をサウナ室とするミスト装置が知られている（例えば特許文献１参照）。
【０００３】
以下、そのミスト装置について図６を参照しながら説明する。
【０００４】
図に示すように、循環ファン１０１や可動ルーバ１０２を設けた装置本体１０３を覆うグリル板１０４を設け、装置本体１０３は本体ケーシング１０３ａ内に吸気口１０５を通して室内の空気を吸引し、吹出口１０６より空気を吹き出すための循環通風路１０７と、循環通風路１０７に対して通風作用をする循環ファン１０１と、循環通風路１０７を通風する空気を加熱する熱交換器１０８と、吹出口１０６を通して吹き出される空気の吹き出し方向を可変する可動ルーバ１０２と、室内の空気を吸引して排気ダクト１０９を通し屋外に排気する換気ファン１１０と、吸気口１０５の側方に室内にミストを噴出するミスト噴出部１１１を設け構成していた。
【特許文献１】特開２００２−３３６３２７号公報（［００２１］〜［００２３］、図５）
【発明の開示】
【発明が解決しようとする課題】
【０００５】
このような従来のミスト装置では、吹出口１０６からは加熱空気のみが吹き出され、ミストはミスト噴出部１１１により別個に噴出されているため、加湿空気とミストが混合されないため、温度と湿度による温湿度むらが発生するという課題があり、温風と湿度を混合して均一な温湿度を得ることが要求されている。
【０００６】
また、浴室内にミスト噴出部１１１により、ミストを別個に噴出するため浴室内での読書ができない、眼鏡に水滴が付着する等の課題があり、サウナ室内でも読書等行動が制約されない空間を提供することが要求されている。
【０００７】
また、加熱空気とミストは別々に室内に放出されることにより、温度湿度のコントロールが容易でないという課題があり、温度湿度のコントロールを容易にできるようにすることが要求されている。
【０００８】
本発明は、このような従来の課題を解決するものであり、均一の温湿度を得ることができ、また、サウナ室内で読書ができ、また、温度湿度のコントロールが容易に出来るサウナ装置を提供することを目的としている。
【課題を解決するための手段】
【０００９】
本発明のサウナ装置は上記目的を達成するために、空気を加熱する加熱手段と、この加熱手段により加熱された空気を送風する加熱空気送風手段と、空気を加湿する加湿手段と、この加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し前記吹出口より加熱加湿空気を吹き出す構成としたものである。
【００１０】
この手段により、均一の温湿度のサウナ空間が得られる。
【００１１】
また、他の手段は、加湿手段を、水または温水を供給する給水手段と、この給水手段から給水された水または温水を噴射する噴射手段と、この噴射手段により噴射された水または温水を衝突させて破砕する水破砕手段と、この水破砕手段により大粒の水滴と微細な水滴に分離し、大粒の水滴を回収する気液分離手段とにより構成したものである。
【００１２】
この手段により、読書ができるとともに負イオンを多く含んだ空気を流出することのできるサウナ装置が得られる。
【００１３】
また、他の手段は、加熱空気送風手段に加熱送風量を可変する加熱送風可変手段を設け、加湿空気送風手段に、加湿送風量を可変する加湿送風可変手段を設けたものである。
【００１４】
この手段により、容易に温度湿度をコントロールすることができるため高温高湿の空間から低温低湿の空間まで実現可能なサウナ装置が得られる。
【００１５】
また、他の手段は、水破砕手段に回転する衝突ファンを備えたものである。
【００１６】
この手段により、一定の加湿量を供給することができ、コンパクトなサウナ装置が得られる。
【００１７】
また、他の手段は、吹出口以外の開口を吸込空気流路に連通する吸込口としたものである。
【００１８】
この手段により、効率良く各種ファンを動作することができるサウナ装置が得られる。
【発明の効果】
【００１９】
本発明によれば、浴室内のどの場所でも均一の温湿度が得られるという効果のあるサウナ装置を提供できる。
【００２０】
また、読書や洗髪および身体を洗う行為等通常の入浴となんら変わりのない浴室空間ができるとともに、負イオンを多く空気を流出できる効果のあるサウナ装置を提供できる。
【００２１】
また、容易に温度湿度をコントロールすることができることにより高温高湿の空間から長時間入浴可能な低温低湿の空間まで幅広い使用者に指示される効果のあるサウナ装置を提供できる。
【００２２】
また、一定の加湿量を供給でき、コンパクトな加湿手段となるため、隠蔽空間等狭い場所にも設置可能な装置という効果のあるサウナ装置を提供できる。
【００２３】
また、効率良く各種ファンを動作することができる効果のあるサウナ装置を提供できる。
【発明を実施するための最良の形態】
【００２４】
本発明の請求項１記載の発明は、空気を加熱する加熱手段と、この加熱手段により加熱された空気を送風する加熱空気送風手段と、空気を加湿する加湿手段と、この加湿手段により加湿された加湿空気を送風する加湿空気送風手段と、吸込口および吹出口とを備え、前記加熱空気送風手段からの加熱空気と、前記加湿空気送風手段からの加湿空気を前記吹出口の手前で合流し、前記吹出口より加熱加湿空気を吹き出す構成としたものであり、吹出口から吹き出される空気の温度湿度が均一となり、むらがなくなり、均一の温湿度のサウナ室を造ることができるという作用を有する。
【００２５】
また、請求項２記載の発明は、加湿手段を、水または温水を供給する給水手段と、この給水手段から給水された水または温水を噴射する噴射手段と、この噴射手段により噴射された水または温水を衝突させて破砕する水破砕手段と、この水破砕手段により供給された水滴群を大粒の水滴と微細な水滴に分離し、大粒の水滴を回収する気液分離手段とにより構成したものであり、吹き出される加湿空気が微細水滴のみを含んだものとなり、吹出空気内の温湿度分布が優れるとともに、水滴感のない浴室空間を創造することができ、このことにより使用者に水滴によるわずらわしさを与えることのない空間を提供できるため、浴室内で読書等浴室内の利用範囲が広がる。また、衝突による水を微細化する原理つまりレナード効果により負イオンを多く含んだ空気を流出することとなる作用を有する。
【００２６】
また、請求項３記載の発明は、加熱空気送風手段に、加熱送風量を可変する加熱送風可変手段を設け、加湿空気送風手段に、加湿送風量を可変する加湿送風可動手段を設けたものであり、加湿量はある範囲までは風量にほぼ比例となって増加するため、加湿量制御が行ないやすく、温度制御と併せて低温低湿空間から高温高湿空間まで容易に温度湿度がコントロールすることができるという作用を有する。
【００２７】
また、請求項４記載の発明は、水破砕手段に水と衝突する複数の衝突板を有し回転する衝突ファンを備えたものであり、水を破砕する動力が回転体の回転数に依存するため、供給される水道水または温水の水圧に依存することなく、一定の加湿量を供給することができるという作用を有する。
【００２８】
また、吹出口以外の開口を、吸込空気流路を連通する吸込口としたものであり、吸込みの抵抗を軽減でき効率良く加湿空気送風手段、加熱空気送風手段を動作することができるという作用を有する。
【００２９】
以下、本発明の実施の形態について図面を参照しながら説明する。
【００３０】
（実施の形態１）
図１〜図５に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水または温水を装置本体３に供給する給水管６および装置本体３から排出される水を排水する排水管７が接続され、一方熱源である給湯器８には熱源側温水循環回路として循環温水回路往路管９と循環温水回路復路管１０とが接続され、サウナ対象室１および装置本体３内部を加熱するときには、給湯器８から温水が循環温水回路往路管９を介して装置本体３に送り込まれ、装置本体３内部で熱交換されたのち、循環温水回路復路管１０を介して熱源である給湯器８に戻る動作となり、一方サウナ対象室１または装置本体３内部を加湿するときには給水管６を介して市水が装置本体３に送水され、一部は加湿として使用され、残った水が排水管７を介して排水されるものである。
【００３１】
また、サウナ対象室１または装置本体３内部を加熱、加湿する場合には、給湯器８から温水が循環温水回路往路管９を介して装置本体３に送り込まれるとともに、給水管６を介して市水が装置本体３に送水され、熱源からの循環温水は装置本体３内部で熱交換されたのち、循環温水回路復路管１０を介して給湯器８に戻り給水管６より供給された市水の一部は加湿として使用され、加湿に使用されなかった水が排水管７より排水されるものである。
【００３２】
また、装置本体３は、一開口面を有した箱状で、内部に加湿手段１１と加熱手段１２と制御手段１３が内蔵され、換気手段１４は装置本体３の側面に内部と連通して設けられ、制御手段１３は加湿手段１１と加熱手段１２と換気手段１４とを電気的に接続し、開口面には加湿用吸込口１５と加熱用吸込口１６および加湿用吹出口１７と加熱用吹出口１８を設けた内側パネル１９と、内側パネル１９との間に加湿用吸込口１５と加熱用吸込口１６とに連通する吸込空気流路２０が形成される外側パネル２１を設け、吸込口２２を形成するとともに、外側パネル２１にはサウナ対象室１に加熱加湿空気を吹き出す吹出口２３を設け、吹出口２３の手前側に加湿用吹出口１７より吹き出される加湿空気と、加熱用吹出口１８より吹き出される加熱空気が混合するように合流する合流室２４を設ける。
【００３３】
また、加湿手段１１は加湿空気送風手段２５と、水破砕手段２６と気液分離手段２７と給水手段２８と排水手段２９と循環温水回路３０から構成され、加湿空気送風手段２５により、サウナ対象室１より加湿用吸込口１５に吸い込まれた空気が水破砕手段２６を通過し、気液分離手段２７を通り加湿用吹出口１７より合流室２４に吹き出される。一方、水破砕手段２６には熱源として給湯器８から循環温水回路往路管９を介し循環温水回路入口接続部を通り熱交換器３１に送り込まれた温水と、給水手段２８により送水される市水とで熱交換が行なわれ給水手段２８と連通する水破砕手段２６の構成要素である噴射手段３２から噴射される。
【００３４】
そして、噴射手段３２から噴射された温水は水破砕手段２６に設けた衝突ファン３３よりなる衝突手段３４に衝突し、微細水滴に砕かれ、砕かれた水滴は加湿空気送風手段２５による空気流に乗り気液分離手段２７を通過するが、気液分離手段２７を加湿空気が通過するとき大粒水滴と微細な水滴に分離され、微細な水滴のみが加湿用吹出口１７より合流室２４に送られる。
【００３５】
また、加熱手段１２は、加熱用温水コイル３５と加熱空気送風手段３６からなり、加熱空気送風手段３６が駆動することにより、サウナ対象室１から加熱用吸込口１６を介して加熱手段１２に送り込まれ、加熱手段１２に備えた加熱用温水コイル３５は給湯器８から循環温水回路往路管９を介し、循環温水回路入口接続部を通り水の流通の開閉を行なう加熱用開閉手段３７を通過し加熱用温水コイル３５に温水が供給され空気−水の熱交換が行なわれサウナ対象室１より吸い込まれた空気と熱源から送水された温水が加熱用温水コイル３５で熱交換され加熱空気として加熱空気送風手段３６を通り加熱用吹出口１８から合流室２４に送られ、加湿用吹出口１７より合流室２４に吹き出された加湿空気と合流し加熱加湿空気が吹出口２３よりサウナ対象室１に送られる。
【００３６】
また、加熱空気送風手段３６に加熱送風量を可変する加熱送風可変手段３８を設け、加湿空気送風手段２５に加湿送風量を可変する加湿送風可変手段３９を設ける。
【００３７】
また、水破砕手段２６は噴射手段３２と衝突手段３４を備え、圧力を有した水または温水を供給する給水手段２８は噴射手段３２であるノズルに連結され、圧力を有した水または温水をノズルより衝突手段３４である衝突ファン３３に向けて噴射するように設け、加湿空気送風手段２５は、加湿送風用電動機４０と、加湿送風用電動機４０のシャフトに連結された衝突ファン３３を備え、衝突ファン３３は、例えばシロツコファンなどの遠心力ファンにより形成する。
【００３８】
また、衝突手段３４は水または温水を衝突させて微細な水滴とする機能と送風機能を併せ持ち、それ自体が運転する衝突ファン３３で形成され、噴射手段３２であるノズルから噴射された水または温水は、加湿送風用電動機４０により回転する衝突ファン３３の羽根すなわち複数の衝突板４１に衝突するように設け、ノズルからの噴射によりある程度微細化した水または温水をさらに回転体である衝撃ファン３３に衝突させることにより微細な水滴となるように構成する。
【００３９】
上記構成において、サウナ対象室１の天井面４２に設けたサウナ装置を運転すると、内側パネル１９と外側パネル２１間に形成される吸込空気流路２０に連通する吸込口２２よりサウナ対象室１内の空気が吸い込まれ、吸い込まれた空気は、内側パネル１９に設けた加湿用吸込口１５と加熱用吸込口１６より装置本体３内に吸い込まれ、加湿用吸込口１５より吸い込まれた空気は加湿手段１１により加湿され、加湿空気は加湿空気送風手段２５を介して内側パネル１９に設けた加湿用吹出口１７より吹出口２３の手前に設けた合流室２４に送られる。
【００４０】
一方、内側パネル１９に設けた加熱用吸込口１６より装置本体３内に吸い込まれた空気は、加熱手段１２により加熱され、加熱空気は加熱空気送風手段３６を介して内側パネル１９に設けた加熱用吹出口１８より吹出口２３の手前に設けた合流室２４に送られ、合流室２４により加湿空気と加熱空気を合流して混合し、合流した加熱加湿空気を外側パネル２１に設けた吹出口２３よりサウナ対象室１に送られ、サウナ対象室１がサウナ機能を持つこととなる。
【００４１】
このことにより、サウナ対象室１に吹き出される加熱加湿空気は温度湿度が均一となり、むらのない均一サウナ対象室１が得られるサウナ装置となる。
【００４２】
また、加湿手段１１を、水または温水を供給する給水手段２８と、給水手段２８から給水された水または温水を噴射する噴射手段３２と、噴射手段３２により噴射された水または温水を衝突させて破砕する水破砕手段２６と、気液分離手段２７により大粒の水滴と微細な水滴に分離し、大粒の水滴を回収する気液分離手段２７を設けることにより、加湿空気が微細水滴のみを含んだものとなり、合流室２４で加熱空気が合流し、吹出口２３より吹き出される吹出空気内の温湿度分布が良くなり、水滴感のないサウナ対象室１を得ることができる。このことにより使用者に水滴によるわずらわしさを与えることのない空間となるサウナ対象室１を提供できるので、サウナ対象室１内での読書が可能となり、サウナ対象室１の利用範囲を広げることができ、また水破砕手段２６による水の衝突で水を微細化することにより、レナード効果により負イオンを多く含んだ空気をサウナ対象室１内に送風することができる。
【００４３】
また、加熱空気送風手段３６に加熱送風量を可変する加熱送風可変手段３８を設け、加湿空気送風手段２５に加湿送風風量を可変する加湿送風可変手段３９を設けたことにより、加湿量はある範囲までは風量にほぼ比例となって増加するため、加湿量制御が行ない易く、温度制御と併せて低温低湿空間から高温高湿空間まで容易に温度湿度のコントロールを行なうことができる。
【００４４】
また、水破砕手段２６に回転する衝突ファン３３を設けたことにより、衝突ファン３３は加湿空気送風手段２５と衝突手段３４の働きを兼ね備えるため、コストパフォーマンスがよく、また、空間を有効に活用した水破砕手段２６を構成でき、水を破砕する動力が衝突ファン３３の回転数に依存するため、ノズルのみでの水滴の微細化であると水圧に加湿量が依存するが、本方式によると供給される水道水または温水の水圧に依存することなく一定の加湿量を供給することができる。
【００４５】
また、吹出口２３以外の開口を吸込空気流路に連通する吸込口２２としたことにより、吹出口２３以外はすべて吸込口２２として使用することができるため、吸い込み抵抗を軽減でき、効率良く加湿空気送風手段２５および加熱空気送風手段３６を動作することができる。
【産業上の利用可能性】
【００４６】
最寒の北海道の地区では冬の暖房時には必ず加湿をする必要があることから暖房装置と加湿装置を一体に設けた空気調和装置の用途にも適用できる。
【図面の簡単な説明】
【００４７】
【図１】本発明の実施の形態１のサウナ装置を設置した状態を示す概略断面図
【図２】同サウナ装置の設置した状態を示す斜視図
【図３】同サウナ装置の内部構成を示す下面図
【図４】同サウナ装置の構成を示す概略図
【図５】同サウナ装置の加湿手段の内部構成を示す断面図
【図６】従来のミスト装置のミストと加熱空気を吹き出している装置状態を示す断面図
【符号の説明】
【００４８】
１１    加湿手段
１２    加熱手段
２２    吸込口
２３    吹出口
２４    合流室
２５    加熱空気送風手段
２６    水破砕手段
２７    気液分離手段
２８    給水手段
３２    噴射手段
３３    衝突ファン
３４    衝突手段
３６    加熱空気送風手段
３８    加熱送風可変手段
３９    加湿送風可変手段
４１    衝突板
【図１】
2006212246.tif 000003
【図２】
2006212246.tif 000004
【図３】
2006212246.tif 000005
【図４】
2006212246.tif 000006
【図５】
2006212246.tif 000007
【図６】
2006212246.tif 000008